(57)【要約】【課題】閃光発光装置を用いて撮影する場合に要求された発光量で発光装置が発光できない場合であっても、適切な撮影画像が得られるようにする。【解決手段】マスターストロボ装置は、複数のスレーブストロボ装置のうちの少なくとも１つ以上が設定された光量で発光できないことを受信した場合は、設定された発光量に対する不足光量が最も大きいストロボ装置の発光可能量を基準として、各ストロボの発光量、及び撮影パラメータを再演算・再設定することで、多灯撮影時における撮影光量比を保持する。【選択図】図２
2010243579.tif 000002
【特許請求の範囲】
【請求項１】
複数の発光装置と双方向通信が可能な撮像装置であって、
被写体の輝度を測定する測光手段と、
前記測光手段の測光結果に基づいて、前記複数の発光装置の撮影時の理想発光量である第１の発光量をそれぞれ算出する第１の算出手段と、
前記複数の発光装置から発光可能量をそれぞれ取得する取得手段と、
前記複数の発光装置の少なくとも１つの発光装置に関して、前記取得手段により取得された発光可能量が前記第１の発光量に満たない場合に、前記第１の発光量に満たない発光可能量のなかで前記第１の発光量との差分が最も大きい発光可能量を基準として、撮影時に前記複数の発光装置を発光させる発光量である第２の発光量をそれぞれ算出する第２の算出手段と、
前記第１の発光量と前記第２の発光量との差分の光量に基づいて撮影時の撮影パラメータを変更する変更手段と、
を有することを特徴とする撮像装置。
【請求項２】
前記変更手段は、前記第１の発光量と前記第２の発光量との差分の光量を補うように撮影時の前記撮影パラメータを変更することを特徴とする請求項１に記載の撮像装置。
【請求項３】
前記第１の算出手段は、前記複数の発光装置に対して設定された光量比を維持して、前記第１の発光量をそれぞれ算出することを特徴とする請求項１または２に記載の撮像装置。
【請求項４】
前記第２の算出手段は、前記第１の発光量に満たない発光可能量のなかで前記第１の発光量との差分が最も大きい発光可能量を基準として、前記複数の閃光発光装置に対して設定された光量比を維持して、当該複数の発光装置の撮影時の発光量を算出することを特徴とする請求項３に記載の撮像装置。
【請求項５】
前記変更手段は、前記撮影パラメータとして、ＩＳＯ感度、シャッタ速度、絞り値のうち少なくとも１つを変更することを特徴とする請求項１ないし４のいずれか１項に記載の撮像装置。
【請求項６】
前記変更手段は、前記撮影パラメータとして、ＩＳＯ感度、シャッタ速度、絞り値を変更し、前記撮影パラメータについて優先順位を付けて変更することを特徴とする請求項１ないし５のいずれか１項に記載の撮像装置。
【請求項７】
複数の発光装置と双方向通信が可能な発光装置であって、
発光手段と、
前記発光手段の発光制御を行う発光制御手段と、
撮像装置に接続する接続部と、
前記接続部に接続された撮像装置からの要求を前記複数の発光装置へ送信する送信手段と、
前記複数の発光装置からそれぞれの発光可能量を受信する受信手段と、を有し、
前記送信手段は、前記受信手段により前記複数の発光装置からそれぞれの発光可能量を受信したあと、前記それぞれの発光可能量に基づいて算出された発光量を前記複数の発光装置に送信し、
前記発光制御手段は、前記発光手段を前記それぞれの発光可能量に基づいて算出された発光量で前記複数の発光装置の発光に同期させて発光させることを特徴とする発光装置。
【請求項８】
撮像装置との間で双方向通信が可能な複数の発光装置を有する撮像システムであって、
被写体の輝度を測定する測光手段と、
前記測光手段の測光結果に基づいて、前記複数の発光装置の撮影時の理想発光量である第１の発光量をそれぞれ算出する第１の算出手段と、
前記複数の発光装置から発光可能量をそれぞれ取得する取得手段と、
前記複数の発光装置の少なくとも１つの発光装置に関して、前記取得手段により取得された発光可能量が前記第１の発光量に満たない場合に、前記第１の発光量に満たない発光可能量のなかで前記第１の発光量との差分が最も大きい発光可能量を基準として、撮影時に前記複数の発光装置を発光させる発光量である第２の発光量をそれぞれ算出する第２の算出手段と、
前記第１の発光量と前記第２の発光量との差分の光量に基づいて撮影時の撮影パラメータを変更する変更手段と、
を有することを特徴とする撮像システム。
【発明の詳細な説明】
【技術分野】
【０００１】
本発明は、発光装置を用いて撮像装置により撮影を行う場合の発光制御技術に関する。
【背景技術】
【０００２】
従来、カメラに直結されたマスタストロボ装置と、マスタストロボ装置から離れた位置に配された少なくとも１つ以上のスレーブストロボ装置を用いて撮影を行う際に、各ストロボ装置の発光量を制御する技術が知られている（特許文献１参照）。
【先行技術文献】
【特許文献】
【０００３】
【特許文献１】特開２０００−８９３０７号公報
【発明の概要】
【発明が解決しようとする課題】
【０００４】
しかしながら、特許文献１では、マスタストロボ装置からスレーブストロボ装置への片方向の通信により発光制御を行っている。
【０００５】
このため、多灯撮影時に、マスタストロボ装置から要求された発光量でスレーブストロボ装置が発光できない場合であっても、マスタストロボ装置は、その事実を認識することができない。これにより、ユーザが設定した各ストロボ装置間の光量比で撮影することができず、ユーザの意図した撮影画像が得られなくなる。
【０００６】
本発明は、このような背景技術の下になされたもので、その目的は、発光装置を用いて撮影する場合に要求された発光量で発光装置が発光できない場合であっても、適切な撮影画像が得られるようにすることにある。
【課題を解決するための手段】
【０００７】
上記目的を達成するため、本発明にかかる撮像装置は、複数の発光装置と双方向通信が可能な撮像装置であって、被写体の輝度を測定する測光手段と、前記測光手段の測光結果に基づいて、前記複数の発光装置の撮影時の理想発光量である第１の発光量をそれぞれ算出する第１の算出手段と、前記複数の発光装置から発光可能量をそれぞれ取得する取得手段と、前記複数の発光装置の少なくとも１つの発光装置に関して、前記取得手段により取得された発光可能量が前記第１の発光量に満たない場合に、前記第１の発光量に満たない発光可能量のなかで前記第１の発光量との差分が最も大きい発光可能量を基準として、撮影時に前記複数の発光装置を発光させる発光量である第２の発光量をそれぞれ算出する第２の算出手段と、前記第１の発光量と前記第２の発光量との差分の光量に基づいて撮影時の撮影パラメータを変更する変更手段と、を有することを特徴とする。
【発明の効果】
【０００８】
本発明によれば、閃光発光装置を用いて撮影する場合に要求された発光量で発光装置が発光できない場合であっても、適切な撮影画像を得ることができる。
【図面の簡単な説明】
【０００９】
【図１】本発明の実施例に係る電子スチルカメラの構成を示すブロック図である。
【図２】閃光発光前処理の概要を示すフローチャートである。
【図３】図２のＳ２０３における理想発光量の算出処理を示すフローチャートである。
【図４】図２のＳ２０９における各グループの最終発光量の算出処理を示すフローチャートである。
【図５】図２のＳ２１３における撮影パラメータの再演算・再設定処理を示すフローチャートである。
【図６】図２のＳ２０６,Ｓ２１１，Ｓ２１２における送信処理を示すフローチャートである。
【図７】図２のＳ２０７における受信処理を示すフローチャートである。
【図８】スレーブストロボ装置の処理を示すフローチャートである。
【発明を実施するための形態】
【００１０】
以下、本発明を実施するための形態を図面に基づいて説明する。図１は、本発明の実施例に係る撮像装置のブロック図であり、本撮像装置は、電子スチルカメラ（以下、カメラ本体という）１００として構成されている。また、カメラ本体１００は、外部の発光装置としての外部ストロボ装置（特定の閃光発光装置）５３、外部の記憶媒体としてのメモリカード１６及びハードディスク１７を有し、撮像システムの主要な構成要素となっている。
【００１１】
なお、本撮像システムは、図示省略した複数のスレーブストロボ装置も有し、多灯撮影が可能となっている。また、カメラ本体１００と、外部ストロボ装置５３及びスレーブストロボ装置は、無線による双方向通信が可能となっている。
【００１２】
図１に示したカメラ本体１００において、１は撮影レンズ、２は絞り機能を有するシャッタ、３はＣＣＤ等により被写体光像を光電変換する撮像素子、４はガンマ補正等のカメラ信号処理を行うプロセス回路である。５はプロセス回路４から出力されたアナログの画像信号をデジタル信号に変換するＡ／Ｄ変換器、６は適応離散コサイン変換（ＡＤＣＴ）等により画像データを圧縮／伸張する画像圧縮回路である。７は画像圧縮回路６により圧縮された画像データの転送と、画像圧縮回路６をバイパスした非圧縮の画像データの転送を切換える切換スイッチである。
【００１３】
８は外部音声入力用のマイク、９はマイク８から出力される音声信号のノイズを低減するノイズ低減回路、１０はノイズ低減回路９のアナログの出力信号をデジタル信号に変換するＡ／Ｄ変換器である。１１は適応差分ＰＣＭ（ＤＰＣＭ）等により音声データを圧縮／伸張する音声圧縮回路、１２は音声圧縮回路１１により圧縮された音声データの転送と、音声圧縮回路１１をバイパスした非圧縮の音声データの転送を切換える切換スイッチである。１３はバッファメモリであり、画像データ（映像信号）、音声データ（音声信号）を一時記憶する。バッファメモリ１３に記憶されたデータは、後述するメモリ制御回路１４によって読出される。
【００１４】
１４はＡ／Ｄ変換器５，１０、画像圧縮回路６、音声圧縮回路１１、切換スイッチ７，１２及びバッファメモリ１３を制御するメモリ制御回路である。メモリ制御回路１４は、画像データを圧縮する場合は画像圧縮回路６からの圧縮画像データをバッファメモリ１３に書込み、圧縮しない場合はＡ／Ｄ変換器５から出力される画像データをバッファメモリ１３に書込む。また、メモリ制御回路１４は、音声データを圧縮する場合は音声圧縮回路１１からの圧縮音声データをバッファメモリ１３に書込み、圧縮しない場合はＡ／Ｄ変換器１０から出力される音声データをバッファメモリ１３に書込む。
【００１５】
１５はメモリカード１６、ハードディスク１７とのインタフェースを司るメモリ用Ｉ／Ｆ部、１８はメモリカード１６或はハードディスク１７とカメラ本体１００との電気的接続を行うカメラ本体１００側のコネクタである。
【００１６】
メモリカード１６の記録領域には、管理データ領域１９と情報データ領域２０とが形成され、これら領域に対するアクセスは、メモリカード側のインタフェース２１及びコネクタ２２を介してカメラ本体１００から行われる。また、ライトプロテクト（書込み禁止）２３の情報も、インタフェース２１及びコネクタ２２を介してカメラ本体１００に読出すことができる。
【００１７】
インタフェース２１は、ＣＰＵ、ＭＰＵ等の制御回路、ＲＯＭ、ＥＥＰＲＯＭ等の不揮発性メモリ、及びＲＡＭ等により構成され（インタフェース２６も同様）、所定のプログラムに基づいてメモリカード１６の制御を行う。ハードディスク１７の記憶領域には、管理データ領域２４と情報データ領域２５とが形成され、これら領域に対するアクセスは、インタフェース２６及びコネクタ２７を介してカメラ本体１００から行われる。
【００１８】
なお、オプションで提供されるメモリカード１６、又ハードディスク１７には、本実施例に特有な後述する図２〜図５のフローチャートに係るアプリケーションプログラムが格納されている。これは、ストロボ撮影機能を利用しないユーザを考慮し、カメラ本体やストロボ装置の高価格化を回避したものである。ただし、図６、図７の送受信（双方向通信）に係るアプリケーションプログラムは、マスタストロボ装置に搭載されている（スレーブストロボ装置も同様）。
【００１９】
２８はシャッタ２を駆動するシャッタ駆動回路、２９は撮影レンズ１内のフォーカスレンズを駆動するレンズ駆動回路、３０は被写体までの距離を測定する測距回路、３１は被写体の輝度を測定する測光回路、３２は内蔵ストロボである。３３は温度検出回路であり、記録媒体の温度、凍結や露結の有無を検出する。
【００２０】
３４は電源の状態検出及び制御を行う電源制御回路、３５は電源部であり、電池、ＤＣ−ＤＣコンバータ、通電するブロックを切り換えるスイッチ等により構成されており、電源制御回路３４によって制御される。また、電源制御回路３４は、電池装着の有無、電池の種類、電池残量の検出を行い、検出結果及びカメラ制御部３９の指示に基づいて電源部３５を制御する。
【００２１】
カメラ制御部３９は、ＣＰＵ、ＭＰＵ等の制御回路、ＲＯＭ、ＥＥＰＲＯＭ等の不揮発性メモリ、及びＲＡＭ等により構成され、所定のプログラムに基づいてカメラ本体１００の各種動作を制御する。カメラ制御部３９は、ＣＰＵ、ＭＰＵ等の制御回路、ＲＯＭ、ＥＥＰＲＯＭ等の不揮発性メモリ、及びＲＡＭ等により構成され、ＣＰＵは、ＲＯＭに格納されたプログラムに基づいて外部ストロボ装置５３の各種動作を制御する。
【００２２】
３６はカメラの各種情報、撮影画像、メニュー項目等を表示する表示部、３７はカメラ制御部３９の撮影動作用の定数や変数等を記憶する制御用メモリである。３８は外部ストロボ装置５３とのインタフェースを司るストロボ用Ｉ／Ｆ部である。
【００２３】
カメラ制御部３９には、カメラ制御部３９に対して動作指示を行うための各種のスイッチが接続されている。これらスイッチとしては、次のようなものがある。電源スイッチ４０は、電源を投入するためのスイッチである。
【００２４】
シャッタスイッチ４１は、第１ストロークでＯＮする第１スイッチＳＷ１と、第２ストロークでＯＮする第２スイッチＳＷ２により構成されている。
【００２５】
この第１スイッチＳＷ１がＯＮすることにより、測距回路３０、測光回路３１による測距、測光処理が開始され、更に、後述のストロボモードが設定されている場合は、本実施の形態に特有な後述の閃光発光前処理が開始される。また、第２スイッチＳＷ２がＯＮすることにより、撮影処理が開始される。この場合、ストロボモードが設定されている場合は、ストロボ光（閃光）が発光された状態でシャッタが切られる。また、撮影画像のメモリカード１６或はハードディスク１７への画像データの記録も行われる。
【００２６】
モードスイッチ４４は、１枚または１組の撮影を行うシングル（Ｓ）モード、連続して複数枚の又は複数組の撮影を行う連続（Ｃ）モード、及びセルフタイマ撮影モード、ストロボ撮影を行うストロボモード等の各種のモードを選択するスイッチである。
【００２７】
画像モードスイッチ４５は、画像の記録枚数、フレーム記録／フィールド記録の区別、アスペクト比、画素構成、圧縮方式、圧縮率等の画像記録方式を選択するスイッチである。なお、画像モードスイッチ４５は、図１では１つのスイッチとして示されているが、実際には複数のスイッチにより構成されている。
【００２８】
消去モードスイッチ４６は消去モードを選択するスイッチ、消去スイッチ４７は消去を指示するスイッチである。音声記録スイッチ４８は音声記録のオン／オフを指定する音声記録用のメインスイッチであり、実際の音声記録の実行指示は音声記録実行スイッチ４９により行われる。
【００２９】
カメラ制御部３９は、上記の各スイッチからの指示信号、カメラ本体１００に装着されている記録媒体の種類及び該記録媒体の状態（残り記憶容量等）の検出信号等に基づいて、カメラ全体の制御を行う。例えば、カメラ制御部３９は、測距回路３０での測距結果に基づいて、レンズ駆動回路２９により撮影レンズ１のフォーカスレンズを駆動して撮影レンズ１を合焦状態に制御する。更に、カメラ制御部３９は、測光回路３１の測光結果に基づいて、シャッタ駆動回路２８によるシャッタ２の開放時間を決定し、最適な露光量になるように制御する。
【００３０】
５０は外部機器と接続するためのコネクタである。６１は外部機器と双方向の無線通信を行うための無線通信回路である。５１は外部ストロボ装置と接続するためのコネクタである。５２は外部ストロボ装置５３側の接続部であるコネクタであり、カメラ本体１００に装着する場合は、コネクタ５１，５２を接続することとなる。５４はカメラ本体１００とのインタフェースを司るＩ／Ｆ部である。
【００３１】
外部ストロボ装置５３は、コネクタ５１，５２によりカメラ本体１００と接続された状態で、後述するマスタストロボ装置として機能する。そこで、必要に応じて外部ストロボ装置５３をマスタストロボ装置Ｍと称する。スレーブストロボ装置は、図示省略したが、双方向の無線通信機能を有し、カメラ本体１００から離れた位置に配備される。
【００３２】
なお、本実施の形態では、複数のスレーブストロボ装置を用いて多灯撮影を行いことを想定しており、複数のスレーブストロボ装置はグループ化されている。また、本実施の形態では、マスタストロボ装置Ｍ、及び各スレーブストロボ装置の電源は、二次電池であることを想定している。
【００３３】
５５は外部ストロボ装置５３の動作を制御する制御を行うストロボ制御部である。ストロボ制御部５５は、ＣＰＵ、ＭＰＵ等の制御回路、ＲＯＭ、ＥＥＰＲＯＭ等の不揮発性メモリ、及びＲＡＭ等により構成され、ＣＰＵは、ＲＯＭに格納されたプログラムに基づいて外部ストロボ装置５３の各種動作を制御する。また、発光部５７の発光制御も行い、スレーブストロボ装置の発光に同期させて発光部５７を発光させる。なお、ＲＯＭには、後述する図５〜図６のフローチャートに係るアプリケーションプログラムも格納されている。
【００３４】
５６はスレーブストロボ装置と双方向の無線通信を行うための無線通信回路である。５７はストロボ光を発光する発光部、５８は発光部５７のズーム制御を行うためのズーム制御回路、５９は外部ストロボ装置５３の各種設定状態を表示するための表示部、６０は外部ストロボ装置５３の操作スイッチである。
【００３５】
なお、図１ではマスタストロボ装置Ｍだけを図示したが、本実施の形態では、この他に複数のスレーブストロボ装置が存在し、これらマスタストロボ装置Ｍ、及びスレーブストロボ装置のストロボ光（閃光）の発光能力は同一であることを想定している。また、各ストロボ装置はグループ化されており、ユーザは、カメラ本体１００のモードスイッチ４４等の操作によりグループ単位で光量比を設定することを想定している。さらに、ストロボ装置に係るグループは、１つのストロボ装置しか所属していないグループが存在していてもよいが、マスタストロボ装置Ｍは何れか１つのグループにのみ所属するものとする。
【００３６】
次に、カメラ制御部３９による閃光発光前処理の概要を、図２のフローチャートに基づいて説明する。
【００３７】
カメラ制御部３９は、第１シャッタＳＷ１のＯＮ信号、或はＦＥロックボタンのＯＮ信号の入力の有無を判別することにより、プリ発光の開始タイミングが到来したか否かを判別する（Ｓ２０１）。カメラ制御部３９は、プリ発光の開始タイミングが到来すると、ストロボ装置に係る着目グループを初期化する（Ｓ２０２）。
【００３８】
次に、カメラ制御部３９は、マスタストロボ装置Ｍのストロボ制御部５５を介して、着目グループの各ストロボ装置に対してプリ発光を要求し、そのプリ発光に係る測光結果に基づいて当該着目グループの理想発光量を算出する（Ｓ２０３）。なお、カメラ制御部３９は、Ｓ２０３では、マスタストロボ装置Ｍが含まれるグループに着目している場合は、そのマスタストロボ装置Ｍに対してもプリ発光を要求し、当該着目グループの理想発光量を算出する。
【００３９】
この理想発光量（第１の発光量）の算出処理は、後で、図３に基づいて詳細に説明するが、ここでは、算出に係る理想発光量の概念を説明しておく。Ｓ２０３で算出する理想発光量は、着目グループのグループとしての理想的な発光量であるが、本実施の形態では、後述するように、グループ全体の発光量の値それ自体ではなく、グループ全体の「プリ発光の発光量」に対する「倍率」として算出している。
【００４０】
このグループ全体の「プリ発光の発光量」は、プリ発光時に測光された測定値ではなく、当該グループ内の各ストロボ装置が内蔵の二次電池が満充電の場合に発光するであろうと想定される理論値（固定値）を合計した発光量である。また、本実施の形態では、上記のように各グループの各ストロボ装置のストロボ光の発光能力は同一であることを想定しており、上記の「プリ発光の発光量」は、各ストロボ装置で同一の値となっている。
【００４１】
従って、グループ全体の「プリ発光の発光量」に対する「倍率」として算出される各グループの理想発光量（倍率値）は、当該グループ内の各ストロボ装置の理想発光量と同一、すなわち個別のストロボ装置のプリ発光の発光量に対する倍率値と同一となる。
【００４２】
カメラ制御部３９は、グループの理想発光量の算出処理を全グループに対して行う（Ｓ２０４→Ｓ２０５→Ｓ２０３）。そして、カメラ制御部３９は、マスタストロボ装置Ｍのストロボ制御部５５を介して、全てのストロボ装置に対して、現在の発光可能量を通知するように要求する（Ｓ２０６）。この通知要求に係る送信処理については、図６に基づいて後で詳細に説明する。なお、図６は、Ｓ２１１，Ｓ２１２の送信処理にも対応している。
【００４３】
そして、カメラ制御部３９は、マスタストロボ装置Ｍのストロボ制御部５５を介して、各ストロボ装置の現在の発光可能量を受信して、ＲＡＭに記憶する（Ｓ２０７、Ｓ２０８）。なお、各ストロボ装置の現在の発光可能量の収集処理、マスタストロボ装置Ｍのストロボ制御部５５が主体となって行うものであり、図７に基づいて後で詳細に説明する。
【００４４】
次に、カメラ制御部３９は、各グループの最終発光量を算出する（Ｓ２０９）。この各グループの最終発光量（第２の発光量）の算出処理については、図４に基づいて後で詳細に説明する。次に、カメラ制御部３９は、グループの理想発光量とグループの最終発光量とに差分が有るグループが存在するか否か、すなわち、理想発光量に対して不足光量となるグループが存在するか否かを判別する（Ｓ２１０）。
【００４５】
カメラ制御部３９は、理想発光量に対して不足光量となるグループが１つでも存在する場合は、マスタストロボ装置Ｍのストロボ制御部５５を介して、全てのストロボ装置に対して最終発光量を送信する（Ｓ２１１）。そして、カメラ制御部３９は、理想発光量と最終発光量との差分の光量（不足光量）を補うべく、ＩＳＯ感度等の撮影パラメータを再設定し（Ｓ２１３）、閃光発光前処理を終了する。
【００４６】
一方、理想発光量に対して不足光量となるグループが１つも存在しない場合は、カメラ制御部３９は、マスタストロボ装置Ｍのストロボ制御部５５を介して、全てのストロボ装置に対して理想発光量を送信し（Ｓ２１２）、閃光発光前処理を終了する。
【００４７】
次に、図２のＳ２０３における理想発光量の算出処理（第１の算出処理）を、図３に基づいて詳細に説明する。
【００４８】
カメラ制御部３９は、測光回路３１により、ストロボ光を発光しない自然の状態の被写界輝度（定常光）を測光し、所定時間だけ定常光に係る光電荷を蓄積する（Ｓ３０１、Ｓ３０２）。この際、測光回路３１は、定常光に係るアナログの光電荷（積分値）をデジタルの輝度信号に変換する。そして、カメラ制御部３９は、測光回路３１から定常光の光量を読出してＲＡＭに記憶する（Ｓ３０３）。
【００４９】
次に、カメラ制御部３９は、マスタストロボ装置Ｍのストロボ制御部５５を介して、着目グループに属する全てのストロボ装置に対して、プリ発光を要求する（Ｓ３０４）。この場合、プリ発光要求を受けた各ストロボ装置は、その時点で発光可能な最大の光量でストロボ光を発光する。
【００５０】
そして、カメラ制御部３９は、測光回路３１により、プリ発光に係る被写界輝度を測光し、その光電荷を蓄積する（Ｓ３０５、Ｓ３０６）。そして、カメラ制御部３９は、測光回路３１からプリ発光に係る光量を読出してＲＡＭに記憶する（Ｓ３０７）。
【００５１】
次に、カメラ制御部３９は、プリ発光に係る光量と定常光に係る光量を用いて、着目グループの理想発光量を算出する（Ｓ３０８）。この理想発光量は、グレーチャート時の想定差分値を、プリ発光に係る光量から定常光に係る光量を減算した値（プリ発光だけによる光量）で割り、その結果（商の値）にプリ発光の発光量を乗算することで求められる。
【００５２】
ここで、グレーチャート時の想定差分値とは、所定の光反射率のグレーチャートに対してプリ発光し、（（プリ発光時定常光測光結果）―（プリ発光前定常光測光結果））を計算した場合の想定値を意味する。
【００５３】
また、プリ発光の発光量は、前述のように、着目グループのグループ全体の発光量であり、プリ発光時の測定値ではなく、当該グループ内の各ストロボ装置が内蔵の二次電池が満充電の場合に発光するであろうと想定される理論値（固定値）を合計した発光量である。
【００５４】
なお、上記の算出式から明らかなように、グループの理想発光量は、当該プリ発光の発光量に対する倍率として算出される。グループの理想発光量は、上記のＳ３０８以外の方法で求めることも可能である。
【００５５】
次に、カメラ制御部３９は、ユーザにより設定されたグループ単位での光量比に基づいて、各グループの最終理想発光量を算出する（Ｓ３０９）。この最終理想発光量も、プリ発光の発光量に対する倍率として算出される。また、最終理想発光量は、光量比が最小のグループの理想発光量を基準の最終理想発光量とし、他のグループの最終理想発光量は、基準の最終理想発光量に対する倍率として算出する。
【００５６】
次に、図２のＳ２０９における各グループの最終発光量の算出処理（第２の算出処理）を、図４のフローチャートに基づいて詳細に説明する。
【００５７】
ここで算出する各グループの最終発光量は、全グループに属するストロボ装置の中で、当該ストロボ装置が属するグループの最終理想発光量に対する不足光量が最大となるストロボ装置が発光可能な発光量を基準とするものである。また、各グループの最終発光量を算出する際に用いる光量は、全て、プリ発光の光量（理論値）に対する倍率値となっている。
【００５８】
この各グループの最終発光量を算出するに当たり、本実施の形態では、最初に各グループごとに属するストロボ装置の中で最大の不足光量となるものを求め、次に各グループにおいて最大であった不足光量を比較し、その中で最大のものを求めている。
【００５９】
カメラ制御部３９は、まず、着目グループ、及び着目ストロボ装置を初期化する（Ｓ４０１）。そして、カメラ制御部３９は、着目グループの最終理想光量に対する着目ストロボ装置の不足光量（差分量）を算出する（Ｓ４０２）。
【００６０】
この場合、前述のようにグループの最終理想光量は、当該グループのプリ発光の光量（理論値）に対する倍率値で示されるので、当該着目ストロボ装置の最終理想光量と同一の値となる。従って、カメラ制御部３９は、単純に図３のＳ３０９で求めた着目ストロボ装置の最終理想光量から着目ストロボ装置の発光可能量（上記の倍率値）を減じることで、着目ストロボ装置の不足光量を求めることができる。
【００６１】
なお、カメラ制御部３９は、着目ストロボ装置の発光可能量は、図２のＳ２０７で取得したものを用いる。この場合、カメラ制御部３９は、ストロボ装置から取得した発光可能量がプリ発光の光量（理論値）に対する倍率値で示されていないときは、その発光可能量を当該倍率値に変換してＳ４０２における減算処理を行う。
【００６２】
次に、カメラ制御部３９は、Ｓ４０２の減算結果（差分）が「０」より大きいか否か、すなわち、着目ストロボ装置の発光可能量が、当該着目ストロボ装置の最終理想発光量に対して光量不足となっているか否かを判別する（Ｓ４０３）。その結果、差分が「０」より大きく、光量不足となっている場合は、カメラ制御部３９は、着目ストロボ装置の発光量候補に当該着目ストロボ装置の発光可能量（倍率値）をセットする（Ｓ４０４）。
【００６３】
一方、差分が「０」以下であり、光量不足となっていない場合は、カメラ制御部３９は、着目ストロボ装置の発光量候補に当該着目ストロボ装置の最終理想発光量（倍率値）をセットする（Ｓ４０５）。この当該着目ストロボ装置の最終理想発光量（倍率値）は、上記のように、当該着目グループの最終理想発光量（倍率値）と同一値である。
【００６４】
カメラ制御部３９は、着目グループに属する全てのストロボ装置について、Ｓ４０２〜Ｓ４０５の処理、すなわち発光量候補のセット処理を行う（Ｓ４０６→Ｓ４０７→Ｓ４０２）。
【００６５】
次に、カメラ制御部３９は、着目グループの発光量候補の中で最小の発光量候補を抽出する（Ｓ４０８）。そして、カメラ制御部３９は、その最小の発光量候補を当該着目グループの最終理想発光量（倍率値）、すなわち当該ストロボ装置の最終理想発光量（倍率値）から減じる。そして、減じた光量（倍率値）を、当該着目グループの最終理想発光量に対する不足光量（代表差分量）とする（Ｓ４０８）。
【００６６】
カメラ制御部３９は、全てのグループについて、グループの最終理想発光量に対する不足光量を求める（Ｓ４０９→Ｓ４１０→Ｓ４０２）。
【００６７】
次に、カメラ制御部３９は、全グループの最終理想発光量に対する不足光量の中で最大の不足光量（代表差分量）を最終不足光量（最終差分量）としてセットする（Ｓ４１１）。そして、カメラ制御部３９は、順次、各グループの最終理想発光量からＳ４１１でセットした最終不足光量（最大不足光量：最終差分量）を減算し、その減算値（倍率値）を各グループの最終発光量としてセットする（Ｓ４１２〜４１５）。
【００６８】
次に、図２のＳ２１３における撮影パラメータの再演算・再設定処理を、図５のフローチャートに基づいて詳細に説明する。この撮影パラメータの再演算・再設定処理では、図４のＳ４１１で求められた最大不足光量に基づいて、現在設定されている撮影用パラメータを設定し直すことにより、最終理想発光量に対する不足光量を補うようにしている。
【００６９】
この場合、本実施の形態では、撮影パラメータの再演算・再設定の優先順位を、ＩＳＯ感度値＞絞り値（以後、Ａｖ値という）＞シャッタ速度値（以後、Ｔｖ値という）としている。なお、ＩＳＯ感度値、Ａｖ値、Ｔｖ値は、何れも、前述のグループのプリ発光量に対する倍率値として換算することが可能な値である。
【００７０】
カメラ制御部３９は、現在設定されている撮影用ＩＳＯ感度値（倍率値）と最大不足光量を補償するための加算値が、カメラ内部で使用可能なＩＳＯ感度値の上限値（以後、ＩＳＯＲ＿ＭＡＸという）を超えているか否かを判別する（Ｓ５０１）。その結果、上限値を超えていない場合は、上記の加算値を撮影用ＩＳＯ感度として設定し直す（Ｓ５０３）。この場合は、上記の加算値により、各グループ共に最終理想発光量で発光した場合と同等の撮影を行えるので、カメラ制御部３９は、撮影パラメータの再演算・再設定処理を終了する。
【００７１】
一方、現在設定されている撮影用ＩＳＯ感度値と最大不足光量との加算値がＩＳＯＲ＿ＭＡＸを超えていた場合は、カメラ制御部３９は、それ以上のＩＳＯ感度値には設定できないため、撮影用ＩＳＯ感度値をＩＳＯＲ＿ＭＡＸに設定し直す（Ｓ５０２）。ここで、撮影用ＩＳＯ感度値をＩＳＯＲ＿ＭＡＸに設定し直すことで補償することができる光量を第１の補償光量とし、次に、カメラ制御部３９は、第１の補償光量で補償し切れなかった不足光量として、第２の補償光量を算出する（Ｓ５０４）。すなわち、カメラ制御部３９は、（最大不足光量−ＩＳＯＲ＿ＭＡＸ−再設定前の元の撮影用ＩＳＯ感度値）を第２の不足光量とする（Ｓ５０４）。
【００７２】
次に、カメラ制御部３９は、現在設定されている撮影用Ａｖ値から第２の不足光量を補償するために減じた値（倍率値）が、カメラ内部の状態及び装着レンズにより決定される開放Ａｖ値（以後、ＡＶＲ＿ＭＩＮという）より小さいか否かを判別する（Ｓ５０５）。
【００７３】
その結果、小さくない場合は、カメラ制御部３９は、現在設定されている撮影用Ａｖ値から第２の不足光量を補償するために減じた値（倍率値）を、撮影用Ａｖ値として設定し直す（Ｓ５０７）。この場合は、Ｓ５０７、Ｓ５０２で設定し直した撮影用Ａｖ値及びＩＳＯ感度値により、各グループ共に最終理想発光量で発光した場合と同等の撮影を行えるので、カメラ制御部３９は、撮影パラメータの再演算・再設定処理を終了する。
【００７４】
一方、現在設定されている撮影用Ａｖ値から第２の不足光量を補償するために減じた値（倍率値）が、ＡＶＲ＿ＭＩＮより小さい場合は、そのＡＶＲ＿ＭＩＮより開放側のＡｖ値には設定できない。そのため、カメラ制御部３９は、撮影用Ａｖ値をＡＶＲ＿ＭＩＮに設定し直す（Ｓ５０６）。
【００７５】
ここで、カメラ制御部３９は、撮影用Ａｖ値をＡＶＲ＿ＭＩＮに設定し直すことで補償することができる光量を第２の補償光量とし、第１、第２の補償光量で補償し切れなかった不足光量として、第３の不足光量を算出する（Ｓ５０８）。すなわち、カメラ制御部３９は、再設定前の撮影用Ａｖ値からＡＶＲ＿ＭＩＮを減算した値を、上記の第２の不足光量から減算した値（倍率値）を、第３の不足光量とする（Ｓ５０８）。
【００７６】
次に、カメラ制御部３９は、現在設定されている撮影用Ｔｖ値が、ストロボ光の同調速度より高速シャッタ側の値であり、且つＦＰ（Ｆｏｃａｌ  Ｐｌａｉｎ：フラット発光とも呼ばれる）発光であるか否かを判別する（Ｓ５０９）。すなわち、シャッタ速度系の設定変更で光量を増大できるか否かを判別する。
【００７７】
その結果、現在設定されている撮影用Ｔｖ値が、ストロボ光の同調速度より高速シャッタ速度側ではなく、且つＦＰ発光ではないため、シャッタ速度を遅くしても光量を増大できない場合は、カメラ制御部３９は、撮影パラメータの再演算・再設定処理を終了する。この場合は、各グループ共に最終理想発光量で発光した場合と同等の撮影を行うことはできないが、Ｓ５０６、Ｓ５０２で絞り値、ＩＳＯ感度値の設定変更で不足光量の一部は補償されているので、最終理想発光量で発光した場合に近い撮影を行うことが可能となる。
【００７８】
一方、シャッタ速度を遅くすることで光量を増大できる場合は、カメラ制御部３９は、現在設定されている撮影用Ｔｖ値から第３の不足光量を補償するために減算した値が、ストロボ光の同調速度より低速シャッタ速度側の値であるか否かを判別する（Ｓ５１０）。
【００７９】
その結果、上記の減算した値が、ストロボ光の同調速度より低速シャッタ速度側の値でなければ、カメラ制御部３９は、当該減算した値を撮影用Ｔｖ値として設定し直す（Ｓ５１２）。この場合は、Ｓ５１２、Ｓ５０６、Ｓ５０２で設定し直した撮影用Ｔｖ値、Ａｖ値、及びＩＳＯ感度値により、各グループ共に最終理想発光量で発光した場合と同等の撮影を行えるので、カメラ制御部３９は、撮影パラメータの再演算・再設定処理を終了する。
【００８０】
一方、上記の減算した値が、ストロボ光の同調速度より低速シャッタ速度側の値であれば、カメラ制御部３９は、撮影用Ｔｖ値をストロボ光の同調速度に係るシャッタ速度値に設定し直し（Ｓ５１１）、撮影パラメータの再演算・再設定処理を終了する。この場合は、各グループ共に最終理想発光量で発光した場合と同等の撮影を行えるとは限らないが、最終理想発光量で発光した場合により近い撮影を行うことが可能となる。
【００８１】
なお、上記の設定変更の対象となる現在設定されている撮影用パラメータは、ユーザが設定したパラメータそれ自体ではなく、ユーザが設定したパラメータを元にして、カメラの測光・調光結果等に応じて求められた最良のパラメータを意味している。
【００８２】
ただし、ユーザが設定したパラメータを、上記の設定変更の対象となる現在設定されている撮影用パラメータとしてもよい。また、撮影用パラメータは、多灯撮影時に必要に応じて一時的に設定変更されるだけであり、多灯撮影が終了した場合には、元のパラメータに戻される。
【００８３】
次に、図２のＳ２０６，Ｓ２１１，Ｓ２１２における送信処理を、図６のフローチャートに基づいて詳細に説明する。この送信処理は、カメラ制御部３９の制御の下に、マスタストロボ装置Ｍのストロボ制御部５５が行うので、ここでは、ストロボ制御部５５が動作主体であるものとして説明する。図７についても同様である。
【００８４】
ストロボ制御部５５は、カメラ制御部３９から各スレーブストロボ装置に対する送信要求コマンドを受信する（Ｓ６０１）。そして、ストロボ制御部５５は、１つのスレーブストロボ装置の装置ＩＤを設定する（Ｓ６０２）。次に、ストロボ制御部５５は、送信バッファに当該スレーブストロボ装置に対する送信データ、及びコマンドを設定する（Ｓ６０３）。
【００８５】
この場合、ストロボ制御部５５は、図２のＳ２１１では、最終発光量と当該最終発光量の受信要求コマンドを設定し、Ｓ２１２では最終理想発光量と当該最終理想発光量の受信要求コマンドを設定し、図２のＳ２０６では、発光可能量通知要求コマンドを設定する。次に、ストロボ制御部５５は、Ｓ６０２，Ｓ６０３で設定した設定データの送信を開始する（Ｓ６０４）。
【００８６】
ストロボ制御部５５は、このような各スレーブストロボ装置に対する送信処理を、カメラ制御部３９から要求された全てのスレーブストロボ装置に対して行う（Ｓ６０５→Ｓ６０６→Ｓ６０７→Ｓ６０２）。
【００８７】
次に、図２のＳ２０７における受信処理（実際には、各ストロボ装置の現在の発光可能量の収集処理）を、図７のフローチャートに基づいて詳細に説明する。
【００８８】
マスタストロボ装置Ｍのストロボ制御部５５は、上記の発光可能量通知要求コマンドに応じて各スレーブストロボ装置から返信されてくる発光可能量を受信し、受信バッファに格納する（Ｓ７０１）。そして、ストロボ制御部５５は、各スレーブストロボ装置からの発光可能量を受信し終えると（Ｓ７０２）、受信バッファから各スレーブストロボ装置の発光可能量を取得し（Ｓ７０３）、カメラ制御部３９に転送する（Ｓ７０４）。
【００８９】
次に、スレーブストロボ装置の処理を、図８のフローチャートに基づいて説明する。スレーブストロボ装置の制御部（以下、制御部という）は、マスタストロボ装置からのコマンド（データを含む）の受信を待機し（Ｓ８０１）、受信したコマンドを受信バッファに格納する（Ｓ８０２）。そして、制御部は、受信したコマンドに応じた処理を行う。
【００９０】
すなわち、制御部は、受信コマンドがプリ発光要求コマンドであれば、プリ発光を行う（Ｓ８０３）。受信コマンドが発光量通知コマンドであれば、制御部は、通知に係る発光量（最終発光量、又は理想発光量）を本露光（本発光）時の発光量として設定する（Ｓ８０４，Ｓ８０５）。
【００９１】
受信コマンドが発光可能量通知要求コマンドであれば、制御部は、当該スレーブストロボ装置のストロボ光の発光用のコンデンサの充電電圧に基づいて、発光可能量を算出する（Ｓ８０６、Ｓ８０７）。次に、制御部は、算出した発光可能量をマスタストロボ装置に通知する（Ｓ８０８）。
【００９２】
制御部は、受信コマンドがプリ発光要求、発光量通知、発光可能量通知要求に係るコマンドの何れでもない場合は、そのコマンドに応じた処理を行う（Ｓ８０９）。そして、制御部は、受信コマンドに応じた処理を行った後は、Ｓ８０１に戻り、マスタストロボ装置からのコマンドの受信を待機する。
【００９３】
このようにして、設定された光量で発光できないスレーブストロボ装置が存在する場合は、そのストロボ装置が発光可能な発光可能量を基準として、各ストロボの発光量、及び撮影パラメータを再演算・再設定し、多灯撮影時における撮影光量比を維持している。
【００９４】
なお、本発明は、上記の実施の形態に限定されることなく、例えば、マスターストロボ装置とスレーブストロボ装置は、無線通信ではなく、有線通信で双方向通信を行うように構成することも可能である。
【００９５】
また、上記の実施の形態に係る閃光発光前処理は、カメラ本体のカメラ制御部３９が主導して行うのではなく、マスタストロボ装置等のストロボ制御部５５が主導して行うことも可能である。また、上記の実施の形態に係る閃光発光前処理の全てをカメラ本体、又はストロボ装置だけで行うように構成してもよい。
【００９６】
また、上記の実施の形態では、マスタストロボ装置としてカメラ本体に装着された外部ストロボ装置を介してスレーブストロボ装置と双方向の無線通信を行っているが、カメラ本体に内蔵された無線通信回路を用いてスレーブストロボ装置との通信を行ってもよい。あるいは、カメラ本体に無線通信装置を装着し、装着された無線通信装置を介してスレーブストロボ装置との通信を行ってもよい。
【００９７】
また、ストロボ装置として閃光発光を行う光源を有する発光装置を用いたが、例えば、LEDのように閃光発光を行わない光源を有する発光装置を用いてもよい。
【符号の説明】
【００９８】
３９…カメラ制御部
５１…コネクタ（カメラ側）
５２…コネクタ（カストロボ側）
５３…外部ストロボ装置（マスタストロボ装置Ｍ）
５５…ストロボ制御部
５６…無線通信回路（ストロボ側）
５７…発光部
６１…無線通信回路（カメラ側）
１００…電子スチルカメラ
【図１】
2010243579.tif 000003
【図２】
2010243579.tif 000004
【図３】
2010243579.tif 000005
【図４】
2010243579.tif 000006
【図５】
2010243579.tif 000007
【図６】
2010243579.tif 000008
【図７】
2010243579.tif 000009
【図８】
2010243579.tif 000010